(57)【要約】【課題】下水処理装置に於けるバ−スクリ−ンの水面付近、乾湿交番部は腐蝕が激しく、部分的に腐蝕したスクリ−ンでもスクリ−ン全体を交換するしかなかった。【解決手段】腐蝕環境で使用されるバ−スクリ−ンを高さ方向に複数のバ−スクリ−ンユニットに分割し、腐蝕損傷の激しいユニットのみを選択的に且つ正確、容易に交換できる構造とした。【選択図】図１
2006183443.tif 000002
【特許請求の範囲】
【請求項１】
塩害などの腐食環境で使用されるバ−スクリ−ンを、高さ方向に複数のスクリ−ンユニットに分割し、特に腐食等損傷の激しいスクリ−ンユニットを選択的に交換することを特徴とする分割交換式バ−スクリ−ン
【請求項２】
交換スクリ−ンユニットの少なくとも一端面を、スクリ−ンバ−の幅方向に傾斜させ、対向する固定側スクリ−ンユニットの傾斜面と当接、連結することにより、スクリ−ンユニットの着脱、位置決めを容易にしたことを特徴とする請求項１記載のバ−スクリ−ン
【請求項３】
スクリ−ンユニット接続部の、レ−キ移動方向と直交する端面を面取りし、レ−キとの干渉を軽減したことを特徴とする、請求項１記載のバ−スクリ−ン
【発明の詳細な説明】
【技術分野】
【０００１】本発明は下水処理用等のバ−スクリ−ンの構造に関するものである
【背景技術】
【０００２】除塵機はバ−スクリ−ンが捕捉した流水中の塵埃、し査等をレ−キが水上へ引き上げて除去する装置である。【０００３】図６に示す従来のバ−スクリ−ンは一般に複数の平鋼を等間隔に並べた形状であり、例えば厚さ６〜１２ｍｍ、巾６０〜９０ｍｍの平鋼を等間隔に組み立て、図５に示す本発明の実施例同様、目巾１４を細目では１５〜５０ｍｍ，粗目で５０〜１５０ｍｍとし、目巾１４の中心をレ−キ４が通過、流水中の塵埃を引き上げるものである。（特許文献１等）又、図６示すようにスクリ−ンバ−の高さ方向は、複数の平鋼を溶接等により一体化していた。
【特許文献１】特開平  ０７−２６８９４７公報
【発明の開示】
【発明が開示しようとする課題】
【０００４】下水にはスクリ−ンバ−の腐蝕、孔蝕を引き起こす様々な条件や塩害があり、スクリ−ンバ−の材質が軟鋼や構造用炭素鋼である場合、特に乾湿交番部付近は腐蝕が激しく、このため局部的に腐蝕したバ−スクリ−ンはバ−スクリ−ン全体を交換していた。
【０００５】水中の鉄の腐蝕は基本的に水中の溶存酸素の拡散速度によって支配され、水面付近は溶存酸素濃度が相対的に高く、鉄の溶出が大きいと考えられる。
又、鉄の表面に出来た錆（酸化被膜）は溶存酸素の拡散障壁となって腐蝕速度は次第に減少するが、水中に塩分を含む場合、水中から大気中へ露出した部分の、水分の一部が蒸発、乾湿交番部分は塩分濃度が増すため塩素イオンが酸化被膜を破壊、水面下よりも錆がひどくなるものと考えられる。
【０００６】このため従来はスクリ−ンバ−の材質として、ステンレス（例えばＳＵＳ３０４）が使用されることがあったが、一般の鉄鋼材料に比べ高価となり、又塩分濃度の高い水中ではステンレスと云えども除々に腐蝕が進行することが避けられなかった。
【課題を解決するための手段】
【０００７】本発明は塩害などの腐蝕環境で使用されるバ−スクリ−ンを、高さ方向に複数のスクリ−ンユニットに分割し、特に腐蝕等損傷の激しいスクリ−ンユニットのみを選択的に交換可能に構成したことを特徴とする。
【０００８】又交換する分割スクリ−ンユニットの着脱、位置決めを容易にするため、少なくとも固定スクリ−ンユニットの片側接続面及び交換スクリ−ンユニットの接続面を、スクリ−ンバ−の幅方向へ相互に反対方向へ傾斜させ、傾斜面を互いに接触させて連結することにより、スクリ−ンユニットの着脱と位置決めを容易にしたことを第二の特徴とする。
【０００９】さらに上記固定スクリ−ンユニットに於ける、スクリ−ンバ−のレ−キ移動方向と直交する接続端面を面取りすることにより、例えばスクリ−ンバ−の変形や位置誤差によるレ−キとの干渉を軽減したことを第三の特徴とする。
【発明の効果】
【００１０】前記のようにバ−スクリ−ンを上下方向に分割し、腐蝕の激しいスクリ−ンユニットのみを選択的に交換することにより、塩害環境に於いて一般構造用鋼を使用しても、交換に要するコストを含むト−タルコストを低減することができる。又ステンレスと云えども塩水中では腐蝕があるが、ステンレス製のバ−スクリ−ンを分割交換式とすることによりト−タルコスト低減が可能となる。
【発明を実施するための最良の形態】
【実施例】
【００１１】以下本発明の実施形態について、図面を参照しつつ説明する。図２に本発明の一実施例である自動細目除塵機の全体図を示す。本除塵機のスクリ−ンは巾４４００ｍｍ×深さ７９９０ｍｍ×目巾２５ｍｍ、上下２分割式のバ−スクリ−ンであり、塩分を含む処理水の液面はＭ．Ｗ．ＬとＬ．Ｗ．Ｌの間を変化する。レ−キ４はスクリ−ンバ−８の目巾間を斜め上方（矢印Ｂ方向）へチェ−ン５により駆動され、処理水中の夾雑物を引き上げる。交換スクリ−ンユニット２は上部スクリ−ンユニット６の下方に位置し、接続面７に於いて上下スクリ−ンユニットが接続される。本実施例では、乾湿交番部Ｍ．Ｗ．Ｌ〜Ｌ．Ｗ．Ｌに位置する交換スクリ−ンユニット２は上部スクリ−ンユニット６に比べ腐蝕が激しく、交換スクリ−ンユニットのみを選択的に交換する。【００１２】図１に交換スクリ−ンユニット、及び図３にその細部を示す。スクリ−ンバ−８はディスタンスピ−ス９によってピッチ（目巾）が規定され、通しボルト１０により各バ−を連結の後、補助受桁３を経て受け台１２へボルトナット１により取り付けられる。
上部スクリ−ンユニットと交換スクリ−ンユニットの接続面７は角度θだけ傾斜させ、矢印Ａ方向への交換スクリ−ンユニットの着脱を容易に行える構造とした。角度θの値は５〜６０度の範囲が望ましい。【００１３】図５に上部スクリ−ンユニットと下部スクリ−ンユニットの接続部を示す。レ−キ４はスクリ−ンバ−の目巾間を矢印Ｂ方向に移動し、夾雑物を上方に引き上げる。上部スクリ−ンバ−が外力により変形又はディスタンスピ−ス９に大きな寸法誤差があった場合、レ−キ４と上部スクリ−ン６の間隔Ｃ又はＣ′が減少し、場合によってはレ−キ４と上部スクリ−ンバ−８とが干渉する。この干渉を避けるため、本発明では上部各スクリ−ンバ−の下端に面取り１３を施した。【００１４】図４に下部交換スクリ−ンユニットの、流路壁に固定された受け台１２への取り付け方法を示す。交換スクリ−ンユニットは４本の吊り上げボルト１５により吊り上げ、矢印Ｄ方向へ移動させた後、受け台１２に対しボルトナット１により締結する。【００１５】本実施例ではバ−スクリ−ンを上下２分割としたが、水面部に比べ比較的腐食の少ない水中部、腐蝕が最も大きい水面付近部、及び腐蝕が最も小さい大気部の３分割とすることによっても同様の効果が得られる。
【図面の簡単な説明】
【図１】  本発明の一実施例である、２分割交換式バ−スクリ−ンに於ける、交換スクリ−ンユニットを示す概略図である。
【図２】  本発明の一実施例である、２分割交換式バ−スクリ−ンの全体概略図である。
【図３】  レ−キとスクリ−ンユニットの部分拡大図である。
【図４】  交換スクリ−ンユニットの、受け台への取り付け方法を示す概略図である。
【図５】  上部スクリ−ンユニットと交換スクリ−ンユニットとの接続部を示す概略図である。
【図６】  従来の一体型バ−スクリ−ンの概略図である。
【符号の説明】
２    交換スクリ−ンユニット
３    補助受桁
４    レ−キ
６    上部スクリ−ンユニット
７    接続面
８    スクリ−ンバ−
９    ディスタンスピ−ス
１２  受台
１３  面取り
１４  目巾
【図１】
2006183443.tif 000003
【図２】
2006183443.tif 000004
【図３】
2006183443.tif 000005
【図４】
2006183443.tif 000006
【図５】
2006183443.tif 000007
【図６】
2006183443.tif 000008